(57)【要約】      （修正有）【課題】  出力電圧の安定化を図ることにより画質の低下を防ぐことができる画像表示媒体の電源装置を提供する。【解決手段】  リセット電源６０はトランス６４を備え、トランス６４の一次側コイル６４Ａには基準電圧電源６２が接続され、トランス６４の二次側コイル６４Ｂには、直列接続された第１のコンデンサ６６及び第２のコンデンサ６８が接続される。二次側コイル６４Ｂの中点は、第１のコンデンサ６６と第２のコンデンサ６８との間に接続されると共にトランス６４の一次側で基準電圧電源６２のマイナス側と共通に接地される。第１のスイッチ７２側から出力された電圧は、駆動回路４５によって画像表示媒体１０の行電極に供給され、第２のスイッチ７２側から出力された電圧は、駆動回路４５によって画像表示媒体１０の列電極に供給される。第１のスイッチ７０及び第２のスイッチ７２は、同期して切り替えられる。【選択図】図６
2006259378.tif 000002
【特許請求の範囲】
【請求項１】
画像表示媒体を駆動するための電源を供給する電源装置であって、
所定の基準電圧を発生する基準電圧発生手段と、
少なくとも３つの出力端を備え、前記基準電圧を昇圧して、第１の出力端、第２の出力端、第３の出力端の順に低い電圧を出力する昇圧手段と、
一端が前記第１の出力端に接続された第１のコンデンサと、
一端が前記第１のコンデンサの他端に接続されると共に、他端が前記第３の出力端に接続された第２のコンデンサと、
前記第１の出力端及び前記第３の出力端の何れかに選択的に接続される第１のスイッチと、
前記第１のスイッチと同期して前記第３の出力端及び前記第１の出力端の何れかに選択的に接続される第２のスイッチと、
を備え、
前記第２の出力端が、前記第１のコンデンサと前記第２のコンデンサとの間に接続されると共に、前記昇圧手段の入力側で接地されたことを特徴とする電源装置。
【請求項２】
前記第２の出力端からの出力電圧が、前記第１の出力端からの出力電圧と前記第３の出力端からの出力電圧との中間の電圧であることを特徴とする請求項１記載の電源装置。
【請求項３】
前記画像表示媒体は、メモリー性を有する画像表示媒体であることを特徴とする請求項１又は請求項２記載の電源装置。
【請求項４】
前記画像表示媒体は、少なくとも一方が透光性を有する一対の基板と、前記一対の基板に対応した設けられた一対の電極間に印加された電圧により、前記基板間に形成された電界に応じて移動するように前記基板間に封入された少なくとも一種類の粒子群と、を備えた画像表示媒体であることを特徴とする請求項３記載の電源装置。
【請求項５】
前記電源装置は、前記画像表示媒体を初期化するための電源装置であることを特徴とする請求項４記載の電源装置。
【請求項６】
前記一対の電極は、ライン状の複数の走査電極が並置された走査電極群と、前記走査電極に交差するライン状の複数のデータ電極が並置されたデータ電極群と、であることを特徴とする請求項１乃至請求項５の何れか１項に記載の電源装置。
【発明の詳細な説明】
【技術分野】
【０００１】
本発明は、画像表示媒体の電源装置に係り、より詳しくは、基板間に電圧を印加することにより着色粒子を移動させて画像表示するメモリー性を有する繰り返し書換えが可能な画像表示媒体の電源装置に関する。
【背景技術】
【０００２】
従来、液晶、ＰＤＰ（プラズマディスプレイパネル）、ＥＬ（エレクトロルミネッセンス）等の画像表示媒体に画像を表示させる画像表示装置において、画像表示媒体を駆動するための電源を安定して供給する等の課題を解決するための電源装置として、正負両極性の電圧を出力する電源装置に関して様々な提案がなされている（例えば特許文献１〜４参照）。
【０００３】
例えば、ＰＤＰの駆動方法として、特許文献１には、走査線への選択電圧として用いられる電位を供給する電源回路として、データ線に印加される電圧の中間電圧ＶＣを基準として、正負の電圧を蓄電するコンデンサを用いて２段のチャージポンプ的な方法を用いた技術が開示されている。また、特許文献２には、ダイオードを用いて正負の電圧を発生する技術が開示されている。これらは、電源供給用電圧を１／２にするものであり、低耐圧の駆動回路を用いることができる。
【０００４】
また、特許文献３には、画像表示媒体の性能向上のため、コンデンサを電源との間に付与して傾斜波形を作成する技術が開示されている。
【０００５】
また、特許文献４には、ＥＬを用いた画像表示媒体の駆動方法として、正負の出力電圧の対称性を良好にするため、絶対値の等しい正負の電圧を印加する技術が開示されている。
【０００６】
一方、接地方法等によるノイズ対策は画像表示性能に大きく関わり、様々な提案がなされている。例えば特許文献５には、表示面を導電体で覆う技術が開示されており、特許文献６には、デジタル回路とアナログ回路の信号端子の分離を行なう技術が開示されている。
【０００７】
また、メモリー性を有し繰り返し書き換えが可能な画像表示媒体として、着色粒子を用いた画像表示媒体が知られている（例えば特許文献７及び特許文献８参照）。このような画像表示媒体は、例えば一対の基板と、印加された電界により基板間を移動可能に基板間に封入されると共に、色及び帯電特性が異なる複数種類の粒子群と、を含んで構成される。
【０００８】
例えば黒色粒子と白色粒子とを含んで構成された画像表示媒体に画像を表示させる場合、まず画像表示媒体を初期化、すなわち粒子が均一となるように一対の基板間に交番電圧を印加するとと共に、最終的に白表示となるように電圧を印加する。そして、画像に応じた電圧を一対の基板間に印加することにより黒色粒子を表示基板側へ移動させることにより画像を表示する。なお、電圧の印加を停止した後も、ファンデルワース力や鏡像力によって粒子は基板に付着したままとなり、画像表示は維持される。
【０００９】
画像表示媒体の電極構成としては、複数のライン状の行電極と、これと直交するように複数のライン状の列電極が配置された所謂単純マトリクス構造がある。この駆動回路では、その素子の耐圧を下げるために、特許文献７に記載されたように、各電極に対して正負両方の極性の電圧が印加されるように電源装置を構成する場合がある。
【００１０】
また、白表示の反射率向上及び安定画質の確保のために、上記のようなメモリー性を有する画像表示媒体では、上記の初期化を行うためのリセット電源と、画像書き込み用の書込電源とを別個に設けた構成が取られるのが一般的である。
【００１１】
図７には、単純マトリクス駆動の場合におけるリセット電源の回路構成の一例を示した。同図に示すリセット電源６０は、基準電圧電源６２、昇圧手段としてのトランス６４、第１のコンデンサ６６、第２のコンデンサ６８、第１のスイッチ７０及び第２のスイッチ７２を含むスイッチ手段７４を含んで構成される。トランス６４の一次側コイル６４Ａには基準電圧電源６２が接続され、トランス６４の二次側コイル６４Ｂには、直列接続された第１のコンデンサ６６及び第２のコンデンサ６８が接続される。二次側コイル６４Ｂの中点（第２の出力端）は、第１のコンデンサ６６と第２のコンデンサ６８との間に接続されると共に接地される。これにより、二次側コイル６４Ｂの一端（第１の出力端）には、正の電圧＋Ｈｖが発生し、他端（第３の出力端）には負の電圧−Ｈｖが発生する。
【００１２】
第１のスイッチ７０側から出力された電圧は、駆動回路７６によって例えば画像表示媒体８０の行電極に供給され、第２のスイッチ７２側から出力された電圧は、駆動回路７６によって画像表示媒体８０の列電極に供給される。第１のスイッチ７０及び第２のスイッチ７２は、図示しない制御装置により切替制御され、同期して二次側コイル６４Ｂの一端（図中上側の端部）又は他端（図中下側の端部）に接続される。すなわち、第１のスイッチ７０が二次側コイル６４Ｂの一端に接続される場合には、これと同時に第２のスイッチ７２が二次側コイル６４Ｂの他端に接続され、第１のスイッチ７０が二次側コイル６４Ｂの他端に接続される場合には、これと同時に第２のスイッチ７２が二次側コイル６４Ｂの一端に接続される。
【００１３】
このように、二次側コイル６４Ｂの中点を短絡することによりリセット電源６０を構成する素子の耐圧を低下させることができ、安定した出力を得ることが出来る。
【００１４】
ところで、従来では、リセット電源６０では二次側コイル６４Ｂの中点を、一次側コイル６４Ａ側とは別々に接地していた。
【００１５】
また、メモリー性を有する画像表示媒体では電圧を常時印加する必要がないことから、電圧を印加しない時期においては、特許文献１乃至特許文献６記載の技術とは異なる接地方法により、極力画像表示媒体に近い位置で接地されることが望ましい場合がある。これは、画像表示媒体自体が有する容量を考慮した場合、画像表示媒体を制御するコントローラに近い場所で接地した場合はコントローラと画像表示媒体との間に抵抗成分があることと、画像表示媒体に直接接触する、若しくは間接的な誘導などにより電界が発生する可能性があり、画像に悪影響が出ることが考えられるためである。
【特許文献１】特開２００３−２３３３６１号公報
【特許文献２】特開２００３−１８６５５２号公報
【特許文献３】特開２００２−２１５０８９号公報
【特許文献４】特開２００２−２３６９５号公報
【特許文献５】特開２００１−３０５９７１号公報
【特許文献６】特開２００１−１９４６８６号公報
【特許文献７】特開２００２−１４６５４号公報
【特許文献８】特開２００１−３１２２２５号公報
【発明の開示】
【発明が解決しようとする課題】
【００１６】
しかしながら、例えば図８に示すように、画像表示媒体８０に近い位置で行電極側の電源ラインを接地すると、第２のコンデンサ６８に電荷が蓄積されず、必要な出力電圧が得られなくなる。このため、初期化時に例えば図９（Ａ）に示すような交番電圧が行電極と列電極との間に印加することが必要な場合でも、図９（Ｂ）のような波形となってしまい、正常に初期化が行われなくなる場合がある。また、初期化時に画像表示媒体全体の行電極と列電極との間に交番電圧を印加すると、行電極及び列電極には、何れか一方を基準にしてみた場合、相対的に反転した極性の電圧が交互にそれぞれ印加されることとなるが、図８に示すように、電源ラインの一方、すなわち行電極側の電源ラインを接地すると、この電源ラインにのみ電荷が流れる危険性があり、電源に対する負荷も増加する。また、リセット電源６０内に蓄積されている電荷の放出が画像表示媒体８０を介して行なわれるため、例えばスイッチ手段７４の各スイッチにトランジスタなどを用いた場合、第２のスイッチ７２が接続されると同時に電流が流れ込むため、第２のスイッチ７２が破壊されてしまう恐れがある。
【００１７】
本発明は、上記事実に鑑みて成されたものであり、出力電圧の安定化を図ることにより画質の低下を防ぐことができる画像表示媒体の電源装置を提供することを目的とする。
【課題を解決するための手段】
【００１８】
上記目的を達成するために、請求項１記載の発明は、画像表示媒体を駆動するための電源を供給するの電源装置であって、所定の基準電圧を発生する基準電圧発生手段と、少なくとも３つの出力端を備え、前記基準電圧を昇圧して、第１の出力端、第２の出力端、第３の出力端の順に低い電圧を出力する昇圧手段と、一端が前記第１の出力端に接続された第１のコンデンサと、一端が前記第１のコンデンサの他端に接続されると共に、他端が前記第３の出力端に接続された第２のコンデンサと、前記第１の出力端及び前記第３の出力端の何れかに選択的に接続される第１のスイッチと、前記第１のスイッチと同期して前記第３の出力端及び前記第１の出力端の何れかに選択的に接続される第２のスイッチと、を備え、前記第２の出力端が、前記第１のコンデンサと前記第２のコンデンサとの間に接続されると共に、前記昇圧手段の入力側で接地されたことを特徴とする。
【００１９】
この発明に係る電源装置は、画像表示媒体に電源を供給するための電源装置であり、基準電圧発生手段により発生した所定の基準電圧を昇圧手段により昇圧して画像表示媒体の駆動回路へ供給する。昇圧手段は、例えばトランスを用いた昇圧回路の他、昇圧型チョッパ回路、チャージポンプ回路等のトランスを用いない昇圧回路を用いることができる。
【００２０】
昇圧手段の第１の出力端と第３の出力端との間には、直列接続された第１のコンデンサ及び第２のコンデンサが接続される。昇圧手段の第１の出力端及び第３の出力端は、それぞれ第１のスイッチ及び第２のスイッチが選択的に接続される。
【００２１】
このような構成の電源装置において、昇圧手段の第２の出力端が、第１のコンデンサと第２のコンデンサとの間に接続されると共に、昇圧手段の入力側で接地された構成としている。
【００２２】
このような構成としたことにより、第２のコンデンサに蓄積された電荷が維持されるので瞬時の昇圧が可能となり、出力電圧の立ち上がり時間を低減することができると共に、第２のコンデンサに充電された分の消費電力が低下するのを防ぐことができ、安定した出力電圧を供給することができる。
【００２３】
なお、請求項２に記載したように、前記第２の出力端からの出力電圧が、前記第１の出力端からの出力電圧と前記第３の出力端からの出力電圧との中間の電圧である構成とすることができる。
【００２４】
また、請求項３に記載したように、前記画像表示媒体は、メモリー性を有する画像表示媒体とすることができる。
【００２５】
この場合、請求項４に記載したように、前記画像表示媒体は、少なくとも一方が透光性を有する一対の基板と、前記一対の基板に対応した設けられた一対の電極間に印加された電圧により、前記基板間に形成された電界に応じて移動するように前記基板間に封入された少なくとも一種類の粒子群と、を備えた画像表示媒体とすることができる。
【００２６】
例えば粒子群は、色及び帯電特性が異なる複数種類の粒子群とすることができる。この場合、色が異なる複数種類の粒子群のコントラストによって画像が表示される。また、例えば特開２００４−８６０９５号公報に記載された画像表示媒体を用いることができる。すなわち、背面基板の色と粒子群の色とが異なる構成とし、表示基板側に移動した粒子の色と、粒子を周辺に移動させることにより露出させた背面基板の色とのコントラストで画像を表示する画像表示媒体を用いることができる。背面基板の色を露出させる場合の電圧印加方法は、上記特開２００４−８６０９５号公報に記載された方法を用いることができる。
【００２７】
また、請求項５に記載したように、前記電源装置は、前記画像表示媒体を初期化するための電源装置とすることができる。
【００２８】
また、請求項６に記載したように、前記一対の電極は、ライン状の複数の走査電極が並置された走査電極群と、前記走査電極に交差するライン状の複数のデータ電極が並置されたデータ電極群と、である構成とすることができる。
【発明の効果】
【００２９】
以上説明したように、本発明によれば、出力電圧の安定化を図ることにより画質の低下を防ぐことができる、という効果を有する。
【発明を実施するための最良の形態】
【００３０】
以下、図面を参照して本発明の実施の形態について詳細に説明する。
【００３１】
図１には、本実施形態に係る画像表示媒体１０の断面図を示した。画像表示媒体１０は、画像表示側である透光性を有する表示基板１２と、当該表示基板１２と所定間隔を隔てて対向する背面基板１４と、これらの基板間を所定間隔に保持するとともに、複数のセルに仕切る間隙部材１８と、各セル内に封入された帯電特性の異なる黒色粒子２０及び白色粒子２２と、で構成されている。
【００３２】
表示基板１２は、ガラス基板２４、複数のライン状の走査電極２６、及び絶縁層２８が積層された構成となっている。同様に、背面基板１４は、ガラス基板３０、複数のライン状のデータ電極３２、及び絶縁層３４が積層された構成となっている。各電極は、例えばＩＴＯ（Ｉｎｄｉｕｍ  Ｔｉｎ  Ｏｘｉｄｅ）電極で構成される。
【００３３】
図２に示すように、複数のライン状の走査電極２６は、図２において上下方向（走査方向Ｓ）に並置されると共に、図２において左右方向に並置された複数のライン状のデータ電極３２と直交するように対峙して配置される。各走査電極２６と各データ電極３２との交差位置が画素を構成する。
【００３４】
間隙部材１８は、複数の走査電極２６及びデータ電極３２を含むセル３６が複数個形成されるようマス目状の形状とされている。図２では、一例として各セル３６内に走査電極２６及びデータ電極３２が４本ずつ配置された構成、すなわち１セル当たり４×４画素の構成としている。
【００３５】
各セル３６内には、帯電特性の異なる粒子群であって、正に帯電した黒色粒子２０と負に帯電した白色粒子２２とが封入されている。このように基板間が間隙部材１８によって仕切られ、各セル３６内に粒子が封入されることにより、粒子の移動が各セル内に制限され、粒子が偏るのを防ぐことができる。なお、黒色粒子２０が負に帯電し、白色粒子２２が正に帯電された構成でもよい。各粒子は、例えば絶縁性粒子や導電性粒子等を用いることができる。
【００３６】
図１、２においては、説明の簡略化のために８行×８列の単純マトリックス構造の電極配置としているが、実際には、画像表示に必要な画素数に対応した本数の電極が各基板に形成されることはいうまでもない。すなわち、ｍ行×ｎ列分の画素が必要であれば、ｍ本の走査電極２６がガラス基板２４上に形成され、ｎ本のデータ電極３２がガラス基板３０上に形成される。
【００３７】
また、本実施の形態では、表示基板側に走査電極２６が、背面基板側にデータ電極３２が設けられた構成としているが、これとは逆に、表示基板側にデータ電極３２が、背面基板側に走査電極２６が形成された構成としてもよい。
【００３８】
また、走査電極２６及びデータ電極３２は、表示基板１２と背面基板１４とが対向する側の面ではなく、これと反対側の面にぞれぞれ形成されていてもよく、表示基板１２及び背面基板１４の外側に別個独立にそれぞれ配置されていてもよい。電極を画像表示媒体と別個独立に設ける場合には、基板を誘電性を有する部材で構成することにより、基板間に電界を形成させることができる。
【００３９】
なお、画像表示媒体１０を構成する各部材は、例えば特開２００１−３１２２５号公報に記載されたものを用いることができる。
【００４０】
このような画像表示媒体１０では、少なくとも粒子を移動させることができる電位差を基板間に発生させるのに必要な電圧であって、必要な濃度が確保できる所定電圧（例えば±１４０Ｖ）が走査電極２６とデータ電極３２との電極間に印加されると、その位置の黒色粒子２０及び白色粒子２２が基板間を移動する。例えば、データ電極３２に対して走査電極２６の電位が正となる所定電圧（例えば＋１４０Ｖ）がその電極間に印加された場合には、表示基板１２側の正に帯電した黒色粒子２０は背面基板１４側へ移動し、背面基板１４側の負に帯電した白色粒子２２は表示基板１２側へ移動する。一方、データ電極３２に対して走査電極２６の電位が負となる所定電圧（例えば−１４０Ｖ）がその電極間に印加された場合には、表示基板１２側の負に帯電した白色粒子２２は背面基板１４側へ移動し、背面基板１４側の正に帯電した黒色粒子２０は表示基板１２側へ移動する。
【００４１】
従って、粒子を移動させるべき画素に対応した位置のデータ電極３２と走査電極２６との間に正又は負の所定電圧を印加することにより、画像に応じて粒子が移動し、画像を表示させることができる。なお、電圧の印加が停止された後も、ファンデルワース力や鏡像力等により黒色粒子２０又は白色粒子２２は表示基板１２又は背面基板１４に付着したままとなり、画像表示は維持される。
【００４２】
本実施形態では、一例として、画像表示媒体１０の濃度特性が図３（Ａ）、（Ｂ）に示すような特性の場合について説明する。すなわち、データ電極３２に対して走査電極２６に印加される電圧を−１４０Ｖ又は１４０Ｖとすることにより、黒色粒子２０又は白色粒子２２が表示基板１２側へ移動して十分な濃度を得ることができると共に、データ電極３２に対して走査電極２６に印加される電圧を−７０Ｖ又は７０Ｖとすることにより、粒子の移動を禁止することができる特性である。なお、同図では、印加電圧のパルス幅が１０ｍｓｅｃ、パルス数が１の場合について示した。
【００４３】
走査電極２６及びデータ電極３２に印加するＯＮ電圧及びＯＦＦ電圧の値の設定については様々な値を設定することができるが、本実施形態では、図４（Ａ）に示すように、走査電極２６に印加する走査電極用ＯＮ電圧を０Ｖに、走査電極用ＯＦＦ電圧を７０Ｖに、データ電極３２に印加するデータ電極用ＯＮ電圧を走査電極用ＯＮ電圧の２倍の１４０Ｖに、データ電極用ＯＦＦ電圧を０Ｖにそれぞれ設定する。なお、各電圧のパルス幅は一例として１０ｍｓｅｃ、パルス数は１とする。
【００４４】
このようにＯＮ電圧及びＯＦＦ電圧を設定した場合、同図（Ｂ）に示すように、走査電極２６及びデータ電極３２の両方にＯＮ電圧が印加された場合、そのデータ電極３２に対する走査電極２６への印加電圧は−１４０Ｖとなり、その画素（画像部）の黒色粒子２０が表示基板１２側へ移動する。
【００４５】
また、走査電極２６に走査電極用ＯＮ電圧、データ電極３２にデータ電極用ＯＦＦ電圧が印加された場合、そのデータ電極３２に対する走査電極２６への印加電圧は０Ｖとなり、その画素（非画像部）の粒子は移動しない。同様に、走査電極２６に走査電極用ＯＦＦ電圧、データ電極３２にデータ電極用ＯＮ電圧が印加された場合、そのデータ電極３２に対する走査電極２６への印加電圧は−７０Ｖとなり、その画素の粒子は移動せず、走査電極２６に走査電極用ＯＦＦ電圧、データ電極３２にデータ電極用ＯＦＦ電圧が印加された場合、そのデータ電極３２に対する走査電極２６への印加電圧は７０Ｖとなり、その画素の粒子は移動しない。
【００４６】
また、セル３６内の粒子の配置、すなわち粒子密度を均一化させると共に最終的に白表示とする初期化駆動を行う場合には、走査電極２６とデータ電極３２との間に初期化駆動電圧として交番電圧を印加する。例えば、第１の初期化電圧＋Ｈｖを＋１００Ｖ、第２の初期化電圧−Ｈｖを−１００Ｖとして、これらを所定パルス幅で走査電極２６に交互に印加すると共に、これに同期して、第２の初期化電圧−Ｈｖ、第１の初期化電圧＋Ｈｖを前記所定パルス幅でデータ電極３２に交互に印加する。すなわち、位相が１８０度異なるパルス電圧を走査電極２６及びデータ電極３２に各々印加する。これにより、走査電極２６とデータ電極３２との間に２００Ｖの交番電圧が印加される。なお、交番電圧の電圧値は一例であり、これに限られるものではない。
【００４７】
そして、交番電圧の印加を所定パルス数分実行し、最後に白表示とするために、走査電極２６に第１の走査電極用初期化電圧を、データ電極３２に第１のデータ電極用初期化電圧を印加する。この際、前記所定パルス幅より長めのパルス幅で印加すると、より濃度が安定した白表示を行うことができるため好ましい。なお、所定パルス数は、粒子の配置を十分に均一化させることができる数に設定される。
【００４８】
図５には、画像データに基づいて、画像表示媒体１０に画像を表示するための駆動装置４０の概略構成を示した。
【００４９】
駆動装置４０は、走査電極駆動回路４２、データ電極駆動回路４４、及び電源装置４６、を含んで構成されている。
【００５０】
電源装置４６は、初期化用の電圧、すなわち第１の初期化電圧＋Ｈｖ、第２の初期化電圧−Ｈｖを生成するリセット電源５２と、駆動用（画像書き込み用）の電圧、すなわち走査電極用ＯＮ電圧、走査電極用ＯＦＦ電圧、データ電極用ＯＮ電圧、データ電極用ＯＦＦ電圧を生成する書込電源５４と、を含んで構成される。各電源により生成された電圧は、電源ライン５６，５８を介して走査電極駆動回路４２、データ電極駆動回路４４へ供給される。
【００５１】
図６には、リセット電源５２の回路構成について示した。なお、前述した図７に示すリセット電源６０と同一部分には同一符号を付し、詳細な説明は省略する。
【００５２】
図６に示すように、リセット電源５２は、トランス６４の二次側コイル６４Ｂの中点が、トランス６４の一次側で接地されている。すなわち、基準電圧電源６２のマイナス側と共通に接地されている。なお、図６では、簡略化のため、走査電極駆動回路４２及びデータ電極駆動回路４４をまとめて駆動回路４５として表している。これ以外については図７に示すリセット電源６０と同一である。
【００５３】
走査電極駆動回路４２は、各走査電極２６とそれぞれ接続され、電源装置４６のリセット電源５２から供給される第１の初期化電圧＋Ｈｖ、第２の初期化電圧−Ｈｖ、書込電源５４から供給される走査電極用ＯＮ電圧、走査電極用ＯＦＦ電圧を、制御装置５０の指示に従って各走査電極２６に各々印加する。
【００５４】
データ電極駆動回路４４は、各データ電極３２とそれぞれ接続され、電源装置４６のリセット電源５２から供給される第１の初期化電圧＋Ｈｖ、第２の初期化電圧−Ｈｖ、書込電源５４から供給されるデータ電極用ＯＮ電圧、データ電極用ＯＦＦ電圧を、制御装置５０の指示に従って各データ電極３２に各々印加する。
【００５５】
制御装置５０には、画像表示媒体１０に表示させるべき画像に応じた画像データが入力される。制御装置５０は、入力された画像データに基づいて、走査対象すなわち粒子駆動対象の走査電極２６を指定するための走査電極指定信号を、走査電極駆動回路４２に出力する。また、これと同時に、その走査電極指定信号により指定された走査電極２６に対応するライン画像の画像部のデータ電極３２を指定するためのデータ電極指定信号を、データ電極駆動回路４４に出力する。
【００５６】
走査電極駆動回路４２は、制御装置５０から走査電極指定信号によって指定された走査電極２６に対して走査電極用ＯＮ電圧を印加すると共に、走査電極指定信号によって指定された走査電極２６以外の走査電極２６に対して走査電極用ＯＦＦ電圧を印加し、データ電極駆動回路４４は、制御装置５０からデータ電極指定信号によって指定されたデータ電極３２に対してデータ電極用ＯＮ電圧を印加すると共に、データ電極指定信号によって指定されたデータ電極３２以外のデータ電極３２に対してデータ電極用ＯＦＦ電圧を印加する。
【００５７】
これにより、制御装置５０により指定された走査電極２６とデータ電極３２との交差位置の粒子、すなわち画像部の粒子が基板間を移動し、黒色粒子２０が表示基板１２側へ白色粒子２２が背面基板１４側へ移動する。また、非画像部の粒子は基板間を移動しない。これを各ライン、すなわち各走査電極２６について実行することにより、画像を表示することができる。
【００５８】
次に、制御装置５０で実行される処理について説明する。なお、以下では、図２に示すように、走査電極２６及びデータ電極３２を各８本ずつ備えた画像表示媒体１０、すなわち８×８個の画素（２×２個のセル３６）を有する画像表示媒体１０を初期化駆動及び表示駆動する場合について説明する。
【００５９】
まず、制御装置５０は、画像表示媒体１０を初期化する。すなわち、粒子を均一化すると共に全面白表示とするべく、全ての走査電極２６及びデータ電極３２に位相が１８０度異なる所定パルス数のパルス電圧が各々印加されるように、かつ最後に走査電極２６に第１の初期化電圧が、データ電極３２に第２の初期化電圧が印加されるよう指示する。これにより、基板間の粒子が均一化されると共に、最後に全ての白色粒子２２が表示基板１２側へ移動すると共に、全ての黒色粒子２０が背面基板１４側に移動し、全面白表示となる。
【００６０】
次に、制御装置５０は、１行目の走査電極２６（図２において一番上の走査電極２６）に第１の走査電極用ＯＮ電圧を印加するよう走査電極指定信号を走査電極駆動回路４２に出力すると共に、１行目のライン画像に対応したライン画像データに基づいて、画像部すなわち黒色粒子２０を表示基板１２側に移動させるべき画素のデータ電極３２に第１のデータ電極用ＯＮ電圧を印加するようデータ電極指定信号をデータ電極駆動回路４４に出力する。
【００６１】
これにより、走査電極駆動回路４２は、１行目の走査電極２６に第１の走査電極用ＯＮ電圧を印加すると共に他の走査電極２６に第１の走査電極用ＯＦＦ電圧を印加し、データ電極駆動回路４４は、画像部のデータ電極３２に第１のデータ電極用ＯＮ電圧を印加すると共に、非画像部のデータ電極３２に第１のデータ電極用ＯＦＦ電圧を印加する。
【００６２】
このため、１行目の画像部の黒色粒子２０が表示基板１２側へ移動すると共に白色粒子２２が背面基板１４側へ移動する。非画像部については、走査電極２６及びデータ電極３２の少なくとも一方にＯＦＦ電圧が印加されるため、粒子は移動しない。
【００６３】
同様の処理を２行目の走査電極２６から８行目の走査電極２６まで順次実行することにより、１〜８行目まで順次ライン画像が表示され、画像が表示される。
【００６４】
このように、画像表示媒体１０に画像を表示させる際には、まずリセット電源５２から供給される比較的大電圧の交番電圧を全ての走査電極２６とデータ電極３２との間に印加して初期化した後に、書込電源５４から供給される駆動用の電圧を画像に応じて走査電極２６とデータ電極３２との間に印加する。
【００６５】
前述したように、リセット電源５２は、昇圧手段としてのトランス６４の二次側コイル６４Ｂの中点が、トランス６４の一次側で接地された構成となっている。このように画像表示媒体１０に近い位置である二次側コイル６４Ｂの中点をトランス６４の一次側で共通に接地する構成としているため、ばらばらに接地した場合と比較して抵抗を少なくすることができる。
【００６６】
このような構成としたことにより、第２のコンデンサ６８に蓄積された電荷が維持されるので瞬時の昇圧が可能となり、出力電圧の立ち上がり時間を低減することができると共に、第２のコンデンサ６８に充電された分の消費電力が低下するのを防ぐことができ、安定した出力電圧を供給することができる。
【００６７】
なお、本実施形態では、基準電圧電源６２のマイナス側を接地した構成について説明したが、基準電圧電源６２が電池の場合のように、電源のマイナス側を接地しない場合にも本発明を適用可能である。
【００６８】
また、本実施形態では、昇圧手段としてトランスを用いた昇圧回路の場合について説明したが、昇圧型チョッパ回路、チャージポンプ回路等のトランスを用いない昇圧回路を用いてもよい。
【００６９】
また、本実施形態では、リセット電源に本発明を適用した場合について説明したが、これに限らず、書込電源に本発明を適用してもよい。
【００７０】
また、本実施形態では、粒子を用いた画像表示媒体に本発明を適用した場合について説明したが、これ以外の画像表示媒体の電源装置に本発明を適用してもよい。
【００７１】
また、本実施形態では、電極の配置が単純マトリクス構造の画像表示媒体に画像を表示させる場合について説明したが、例えば電極の配置がアクティブマトリクス構造の画像表示媒体にも本発明を適用可能であることはいうまでもない。
【図面の簡単な説明】
【００７２】
【図１】画像表示媒体の断面図である。
【図２】電極の配置及び間隙部材の形状を示す平面図である。
【図３】（Ａ）は白表示から黒表示するときの濃度特性を示す線図、（Ｂ）は黒表示か
【図４】（Ａ）は各電極に印加するＯＮ電圧及びＯＦＦ電圧について説明するための図、（Ｂ）は、各電極にＯＮ電圧又はＯＦＦ電圧を印加したときの各位置に印加される電圧について説明するための図である。
【図５】駆動装置の概略構成図である。
【図６】本発明に係るリセット電源の回路図である。
【図７】従来例に係るリセット電源の回路図である。
【図８】従来例に係るリセット電源の回路図である。
【図９】（Ａ）は正常時の交番電圧の波形を示す波形図、（Ｂ）は異常時の交番電圧の波形を示す波形図である。
【符号の説明】
【００７３】
１０      画像表示媒体
４０      駆動装置
４２      走査電極駆動回路
４４      データ電極駆動回路
４６      電源装置
５０      制御装置
５２      リセット電源
５４      書込電源
【図１】
2006259378.tif 000003
【図２】
2006259378.tif 000004
【図３】
2006259378.tif 000005
【図４】
2006259378.tif 000006
【図５】
2006259378.tif 000007
【図６】
2006259378.tif 000008
【図７】
2006259378.tif 000009
【図８】
2006259378.tif 000010
【図９】
2006259378.tif 000011